(57)【要約】【課題】汎用の印刷装置を用いて、測定装置の測定結果を容易に印刷することのできる印刷システムを提供する。【解決手段】身体情報を測定する測定装置１と、測定装置１が測定した身体情報を印刷する印刷装置２とを備えた印刷システムであって、測定装置１は、身体情報を測定する測定部１１と、身体情報を印刷装置２に印刷させるためのパラメーターを含む印刷コマンドを生成する印刷コマンド生成部１２と、印刷コマンドを印刷装置２に対し出力する測定側通信部１４と、を備え、印刷装置２は、印刷コマンドを受信する印刷側通信部２０と、受信した印刷コマンドと設定された印刷条件とに基づいて印刷データを生成する印刷データ生成部２２と、生成した印刷データを印刷する印刷部２３と、を備える。【選択図】図１
2017083929.tif 000002
【特許請求の範囲】
【請求項１】
身体情報を測定する測定装置と、測定装置が測定した身体情報を印刷する印刷装置とを備えた印刷システムであって、
前記測定装置は、身体情報を測定する測定部と、前記身体情報を前記印刷装置に印刷させるためのパラメーターを含む印刷コマンドを生成する印刷コマンド生成部と、前記印刷コマンドを前記印刷装置に対し出力する出力部と、を備え、
前記印刷装置は、前記印刷コマンドを受信する受信部と、前記受信した印刷コマンドと設定された印刷条件とに基づいて印刷データを生成する印刷データ生成部と、前記生成した印刷データを印刷する印刷部と、を備えることを特徴とする印刷システム。
【請求項２】
前記印刷コマンド生成部が生成する印刷コマンドは、前記印刷装置の種類にかかわらず同じコマンドであり、
前記印刷装置は、前記同じ印刷コマンドを受信した場合でも、前記印刷条件に応じて前記印刷部が印刷する印刷内容が異なることを特徴とする請求項１に記載の印刷システム。
【請求項３】
前記印刷コマンド生成部が生成する印刷コマンドは、前記印刷装置における印刷形態を指定する情報を含まず、
前記印刷データ生成部は、前記受信した印刷コマンドに含まれるパラメーターに基づいて、前記設定された印刷条件に従った印刷形態の印刷データを生成することを特徴とする請求項１または請求項２に記載の印刷システム。
【請求項４】
前記印刷コマンドのパラメーターは、少なくとも前記測定装置による測定日時と測定結果であることを特徴とする請求項１から請求項３のいずれか一項に記載の印刷システム。
【請求項５】
前記印刷データ生成部は、前記印刷コマンドに含まれないパラメーターを取得し、前記取得したパラメーターを印刷結果に含む印刷データを生成することを特徴とする請求項１から請求項４のいずれか一項に記載の印刷システム。
【請求項６】
前記印刷装置は、前記印刷コマンドに含まれないパラメーターを記憶する記憶部を備え、前記印刷データ生成部は、前記印刷データに含まれないパラメーターを前記記憶部から取得することを特徴とする請求項５に記載の印刷システム。
【請求項７】
前記印刷装置は、ネットワークと通信する通信部を備え、前記印刷データ生成部は、前記印刷コマンドに含まれないパラメーターを前記通信部を介して前記ネットワーク上のサーバーから取得することを特徴とする請求項５に記載の印刷システム。
【請求項８】
身体情報を測定する測定部と、前記身体情報を印刷装置に印刷させるためのパラメーターを含む印刷コマンドを生成する印刷コマンド生成部と、前記印刷コマンドを前記印刷装置に対し出力する出力部と、を備えることを特徴とする測定装置。
【請求項９】
前記印刷コマンド生成部が生成する印刷コマンドは、前記印刷装置の種類にかかわらず同じコマンドであることを特徴とする請求項８に記載の測定装置。
【請求項１０】
身体情報を測定する測定装置から印刷するためのパラメーターを含む印刷コマンドを受信する受信部と、前記受信した印刷コマンドと設定された印刷条件とに基づいて印刷データを生成する印刷データ生成部と、前記生成した印刷データを印刷する印刷部と、を備えることを特徴とする印刷装置。
【請求項１１】
前記測定装置で生成された同じ印刷コマンドを受信した場合でも、前記印刷条件に応じて前記印刷部が印刷する印刷内容が異なることを特徴とする請求項１０に記載の印刷装置。
【請求項１２】
ネットワークと通信する通信部を備え、前記印刷データ生成部は、前記印刷コマンドに含まれないパラメーターを前記通信部を介して前記ネットワーク上のサーバーから取得することを特徴とする請求項１０に記載の印刷装置。
【請求項１３】
測定装置が測定した身体情報を印刷装置により印刷する印刷方法であって、
前記測定装置は、測定した身体情報を前記印刷装置に印刷させるためのパラメーターを含む印刷コマンドを生成し、前記印刷コマンドを前記印刷装置に対し出力し、
前記印刷装置は、前記測定装置から受信した印刷コマンドと設定された印刷条件とに基づいて印刷データを生成し、前記生成した印刷データを印刷することを特徴とする印刷方法。
【発明の詳細な説明】
【技術分野】
【０００１】
本発明は、測定装置による測定結果を印刷する印刷システム、測定装置、印刷装置並びに印刷方法に関する。
【背景技術】
【０００２】
従来から、ヘルスケア製品と呼ばれる血圧計、体重計、活動量計などの測定装置で測定した、血圧や体重、活動量などを、毎日記録・保存し、健康維持に役立てることが推奨されている。
現在販売されているヘルスケア製品は、スマートフォンやパソコン、クラウドなどを活用することにより、測定結果の記録・保存・分析をし、ユーザーにアドバイスを提供したり、医療機関にデータを提供することなどが行われている。
そして、測定結果の印刷が必要な場合、ヘルスケア製品に専用プリンターを内蔵した技術がある（例えば、特許文献１参照）。また、スマートフォンやパソコンのアプリケーションを経由して汎用プリンターに印刷したり、専用の処理装置により高度かつ情報量の多い印刷結果を得る技術も知られている（例えば、特許文献２参照）。
【先行技術文献】
【特許文献】
【０００３】
【特許文献１】特開昭６２−２４９０２２号公報
【特許文献２】特開２０１１−９２５５６号公報
【発明の概要】
【発明が解決しようとする課題】
【０００４】
しかしながら、近年、家庭用のヘルスケア製品は小型軽量化しているため、プリンターを内蔵するのは困難であり、かつ、ユーザーが汎用プリンターを既に所有していることも珍しくない。
したがって、ヘルスケア製品と汎用プリンターを直接接続することが望ましいが、各種の汎用プリンターに対応したプリンタードライバーをヘルスケア製品にインストールする必要があり、また、ハードウェアリソースが貧弱なヘルスケア製品にとっては、処理の負荷が高い。スマートフォンやパソコンのアプリケーションを経由して印刷する方法もあるが、スマートフォンやパソコンのアプリケーションの起動・操作および汎用プリンターとの接続設定が必要になり、ＩＴ製品に不慣れなユーザーにとって使い勝手が悪いという問題がある。
本発明は、上述した事情に鑑みてなされたものであり、汎用の印刷装置を用いて、測定装置の測定結果を容易に印刷することのできる印刷システム、測定装置、印刷装置並びに印刷方法を提供することを目的とする。
【課題を解決するための手段】
【０００５】
前記目的を達成するために、本発明の印刷システムは、身体情報を測定する測定装置と、測定装置が測定した身体情報を印刷する印刷装置とを備えた印刷システムであって、前記測定装置は、身体情報を測定する測定部と、前記身体情報を前記印刷装置に印刷させるためのパラメーターを含む印刷コマンドを生成する印刷コマンド生成部と、前記印刷コマンドを前記印刷装置に対し出力する出力部と、を備え、前記印刷装置は、前記印刷コマンドを受信する受信部と、前記受信した印刷コマンドと設定された印刷条件とに基づいて印刷データを生成する印刷データ生成部と、前記生成した印刷データを印刷する印刷部と、を備えることを特徴とする。
この構成によれば、測定装置から送られる印刷コマンドに基づいて印刷装置が印刷データを生成することで、測定装置の種類にかかわらず、汎用の印刷装置を用いて測定結果の印刷を行うことができる。また、測定装置に、印刷装置に対応したドライバーなどをインストールする必要がないので、ハードウェアリソースが貧弱な測定装置であっても、処理負荷を高めることなく、印刷装置の種類にかかわらず、測定結果の印刷を行うことができる。
【０００６】
また、前記発明の印刷システムにおいて、前記印刷コマンド生成部が生成する印刷コマンドは、前記印刷装置の種類にかかわらず同じコマンドであり、前記印刷装置は、前記同じ印刷コマンドを受信した場合でも、前記印刷条件に応じて前記印刷部が印刷する印刷内容が異なることを特徴とする。
この構成によれば、印刷装置の種類にかかわらず、測定装置から同じ印刷コマンドを送った場合でも、印刷装置が印刷条件に応じて異なる内容を印刷することができる。
【０００７】
また、前記発明の印刷システムにおいて、前記印刷コマンド生成部が生成する印刷コマンドは、前記印刷装置における印刷形態を指定する情報を含まず、前記印刷データ生成部は、前記受信した印刷コマンドに含まれるパラメーターに基づいて、前記設定された印刷条件に従った印刷形態の印刷データを生成することを特徴とする。
この構成によれば、印刷データ生成部により、印刷条件に従った印刷形態の印刷データを生成することで、印刷装置の印刷形態に応じた印刷を行うことができる。
【０００８】
また、前記発明の印刷システムにおいて、前記印刷コマンドのパラメーターは、少なくとも前記測定装置による測定日時と測定結果であることを特徴とする。
この構成によれば、パラメーターに基づいて印刷データを生成することで、少なくとも測定日時と測定結果を印刷することができる。
【０００９】
また、前記発明の印刷システムにおいて、前記印刷データ生成部は、前記印刷コマンドに含まれないパラメーターを取得し、前記取得したパラメーターを印刷結果に含む印刷データを生成することを特徴とする。
この構成によれば、印刷時における印刷コマンドに含まれないパラメーターを取得することで、例えば、測定日時の異なる測定結果の印刷を行うことができる。
【００１０】
また、前記発明の印刷システムにおいて、前記印刷装置は、前記印刷コマンドに含まれないパラメーターを記憶する記憶部を備え、前記印刷データ生成部は、前記印刷データに含まれないパラメーターを前記記憶部から取得することを特徴とする。
この構成によれば、印刷時における印刷コマンドに含まれないパラメーターを記憶部から取得することで、例えば、測定日時の異なる測定結果の印刷を行うことができる。
【００１１】
また、前記発明の印刷システムにおいて、前記印刷装置は、ネットワークと通信する通信部を備え、前記印刷データ生成部は、前記印刷コマンドに含まれないパラメーターを前記通信部を介して前記ネットワーク上のサーバーから取得することを特徴とする。
この構成によれば、印刷時における印刷コマンドに含まれないパラメーターをネットワーク上のサーバーから取得することで、例えば、測定日時の異なる測定結果の印刷を行うことができる。
【００１２】
また、本発明の測定装置は、身体情報を測定する測定部と、前記身体情報を印刷装置に印刷させるためのパラメーターを含む印刷コマンドを生成する印刷コマンド生成部と、前記印刷コマンドを前記印刷装置に対し出力する出力部と、を備えることを特徴とする。
この構成によれば、測定装置の種類にかかわらず、測定装置は印刷コマンドを送るだけで、印刷装置による測定結果の印刷を行うことができる。また、測定装置に、印刷装置に対応したドライバーなどをインストールする必要がなく、ハードウェアリソースが貧弱な測定装置であっても、処理負荷を高めることなく、測定結果の印刷を行うことができる。
【００１３】
また、前記発明の測定装置において、前記印刷コマンド生成部が生成する印刷コマンドは、前記印刷装置の種類にかかわらず同じコマンドであることを特徴とする。
この構成によれば、印刷装置の種類にかかわらず、測定装置から同じ印刷コマンドを送るだけで、印刷装置による測定結果の印刷を行うことができる。
【００１４】
また、本発明の印刷装置は、身体情報を測定する測定装置から印刷するためのパラメーターを含む印刷コマンドを受信する受信部と、前記受信した印刷コマンドと設定された印刷条件とに基づいて印刷データを生成する印刷データ生成部と、前記生成した印刷データを印刷する印刷部と、を備えることを特徴とする。
この構成によれば、測定装置から送られる印刷コマンドに基づいて印刷装置が印刷データを生成することで、測定装置の種類にかかわらず、汎用の印刷装置による測定結果の印刷を行うことができる。また、測定装置に、印刷装置に対応したドライバーなどをインストールする必要がなく、ハードウェアリソースが貧弱な測定装置であっても、処理負荷を高めることなく、測定結果の印刷を行うことができる。
【００１５】
また、前記発明の印刷装置において、前記測定装置で生成された同じ印刷コマンドを受信した場合でも、前記印刷条件に応じて前記印刷部が印刷する印刷内容が異なることを特徴とする。
この構成によれば、測定装置から同じ印刷コマンドを送った場合でも、印刷装置が印刷条件に応じて異なる内容を印刷することができる。
【００１６】
また、前記発明の印刷装置において、ネットワークと通信する通信部を備え、前記印刷データ生成部は、前記印刷コマンドに含まれないパラメーターを前記通信部を介して前記ネットワーク上のサーバーから取得することを特徴とする。
この構成によれば、印刷時における印刷コマンドに含まれないパラメーターをネットワーク上のサーバーから取得することで、測定日時の異なる測定結果の印刷を行うことができる。
【００１７】
また、本発明の印刷方法は、測定装置が測定した身体情報を印刷装置により印刷する印刷方法であって、前記測定装置は、測定した身体情報を前記印刷装置に印刷させるためのパラメーターを含む印刷コマンドを生成し、前記印刷コマンドを前記印刷装置に対し出力し、前記印刷装置は、前記測定装置から受信した印刷コマンドと設定された印刷条件とに基づいて印刷データを生成し、前記生成した印刷データを印刷することを特徴とする。
この構成によれば、測定装置から送られる印刷コマンドに基づいて印刷装置が印刷データを生成することで、測定装置の種類にかかわらず、汎用の印刷装置による測定結果の印刷を行うことができる。また、測定装置に、印刷装置に対応したドライバーなどをインストールする必要がなく、ハードウェアリソースが貧弱な測定装置であっても、処理負荷を高めることなく、印刷装置の種類にかかわらず、測定結果の印刷を行うことができる。
【図面の簡単な説明】
【００１８】
【図１】本発明の実施形態に係る印刷システムの機能構成を示すブロック図。
【図２】本発明の印刷方法の動作を示すフローチャートである。
【図３】血圧計の測定結果をラベルライターで印刷した例を示す図である。
【図４】血圧計の測定結果をラベルライターで印刷した例を示す図である。
【図５】体重計の測定結果をラベルライターで印刷した他の例を示す図である。
【図６】脈拍計の測定結果をラベルライターで印刷した例を示す図である。
【図７】活動量計の測定結果をラベルライターで印刷した例を示す図である。
【図８】血圧計の測定結果をインクジェットプリンターで印刷した例を示す図。
【発明を実施するための形態】
【００１９】
以下、図面を参照して本発明の実施形態について説明する。
図１は、本実施形態に係る印刷システムの機能的構成を示すブロック図である。
図１に示すように、印刷システムは、測定装置１と、印刷装置２とを備えている。
測定装置１は、身体情報や活動量などを測定するための装置であり、例えば、血圧計、体重計、体温計、脈拍計、歩数計、活動量計などのユーザーのヘルスケアに利用するヘルスケア製品である。
印刷装置２は、文字データや画像データなどの印刷データに基づいて印刷することができる汎用のプリンターであり、例えば、インクジェットプリンターやラベルライターなどのプリンターである。
【００２０】
図１に示すように、測定装置１は、測定装置１の各部を制御する測定側制御部１０を備える。測定側制御部１０は、測定装置１の各部を中枢的に制御するものであり、演算実行部としてのＣＰＵ、このＣＰＵによって実行可能な基本制御プログラムや所定のデータ等を不揮発的に記憶するＲＯＭ、ＲＡＭ、その他の周辺回路等を備える。
測定装置１は、所定の身体情報を取得する測定部１１を備える。
また、測定側制御部１０には、印刷コマンド生成部１２が接続される。印刷コマンド生成部１２は、印刷に必要な印刷コマンドを生成する。
測定側制御部１０には、操作部１３が接続され、ユーザーが操作部１３を操作することにより、操作部１３から測定側制御部１０に操作信号が入力される。測定側制御部１０は、操作部１３から入力される操作信号に基づいて、測定部１１に測定動作を指示したり、印刷コマンド生成部１２に印刷コマンドの生成を指示する。
測定装置１は、出力部としての測定側通信部１４を備える。
なお、測定部１１は測定装置１と別筐体で構成されて、有線または無線などの通信手段で接続されていてもかまわない。
【００２１】
印刷コマンド生成部１２により生成される印刷コマンドは、所定のパラメーターに基づいて生成される。このパラメーターは、接続される印刷装置２の性能にかかわらず、最低限のパラメーターが設定される。パラメーターの具体的な例としては、例えば、「ＩＤ情報」、「測定日時」、「測定結果（複数の測定結果を含む）」である。
ここで、「ＩＤ情報」は、測定装置１またはユーザーごとにあらかじめ設定されるＩＤ情報であり、「測定日時」および「測定結果」は、測定装置１により測定した日時および測定結果である。
【００２２】
印刷コマンド生成部１２は、これら各パラメーターに基づいて印刷コマンドを生成する。印刷コマンドは、印刷装置２の種類にかかわらず同じ印刷コマンドである。この印刷コマンドは、例えば、以下のように生成される。
「ESC/HC＿P＿ID:ABC1234＿date：20150731201235＿value:75.00/115.50」
ここで、「ESC/HC」は測定装置１からの印刷コマンドであることを示している。「P」は、印刷実行指示を示している。「ID:ABC1234」は、ヘルスケア製品のＩＤが「ABC1234」であることを示している。「date:20150731201235」は、測定日時を示しており、数字の先頭の４桁は年を表し、以降２桁毎に、月、日、時、分、秒を表す。すなわちこの例では、２０１５年７月３１日２０時１２分３５秒に測定されたことを表している。
なお、測定日時により期間を表す必要がある場合、例えば、ユーザーが活動量計を身につけて一定時間ジョギングをした場合は、「date:20150730080500/20150730083500」のように表すことができる。これは、２０１５年７月３０日８時５分〜８時３５分の測定結果であることを示している。
【００２３】
「value:75.00/115.50」は、測定結果を表す。この例では、２つの測定結果が存在し、それぞれ７５．００と１１５．５０であることを示している。このように測定結果を「/」で区切ることにより複数の測定結果が存在することを示すことができる。
また、各パラメーター間は、スペースコード（０ｘ２０）で区切られている。コマンドの最後は、ＣＲコード（０ｘ０ｄ）により認識される。
なお、この印刷コマンドは、あくまで一例であり、これに限定されない。例えば、パラメーターの順番を入れ替えたり、さらに多くのパラメーターを含む印刷コマンドを生成するようにしてもよい。
【００２４】
また、印刷装置２は、測定側通信部１４から送信される印刷コマンドを受信する受信部としての印刷側通信部２０を備える。測定側通信部１４と印刷側通信部２０との通信は、例えば、ＵＳＢなどの有線通信、無線ＬＡＮやＢｕｌｅｔｏｏｔｈなどの無線通信などの既知の通信手段を用いることができる。
印刷装置２は、印刷装置２の各部を制御する印刷側制御部２１を備える。印刷側制御部２１は、印刷装置２の各部を中枢的に制御するものであり、演算実行部としてのＣＰＵ、このＣＰＵによって実行可能な基本制御プログラムや所定のデータ等を不揮発的に記憶するＲＯＭ、ＲＡＭ、その他の周辺回路等を備える。
印刷側制御部２１には、測定装置１から送られる印刷コマンドに基づいて印刷データを生成する印刷データ生成部２２が接続される。
また、印刷側制御部２１には、印刷データ生成部２２により生成された印刷データに基づいて印刷を行う印刷部２３が接続される。
印刷側制御部２１には、後述する印刷条件やパラメーターなどを記憶する記憶部２４が接続される。
さらに、印刷側制御部２１には、操作部２５が接続され、ユーザーが操作部２５を操作することにより、操作部２５から印刷側制御部２１に操作信号が入力される。印刷側制御部２１は、操作部２５から入力される操作信号に基づいて、印刷データ生成部２２に印刷データの生成を指示したり、印刷部２３に印刷動作を指示する。
また、印刷装置２は、操作部２５の操作により、あらかじめ印刷装置２で印刷される印刷条件を設定することができる。
【００２５】
本実施形態においては、測定装置１に対して汎用の印刷装置２を接続するものである。
この汎用の印刷装置２には、種々の機能を備えたものが存在する。例えば、Ａ４サイズの記録媒体に対してフルカラー印刷が可能なインクジェットプリンターと、幅寸法１０数ｍｍ程度のテープに単色印刷が可能なラベルライターとでは、その印刷能力の差はかなり大きいものとなっている。
また、通常、一般ユーザー向けに市販されているヘルスケア製品などの測定装置１は、比較的単価も安く、その処理能力は高くはない。そのため、測定装置１により、接続される印刷装置２の印刷能力に応じて印刷条件を含む印刷コマンドを生成することは、測定装置１の能力では困難である。
そのため、本実施形態においては、前述のように印刷コマンドを生成するためのパラメーターを必要最小限に留め、３つのパラメーターに基づいて印刷コマンドを生成するようにしている。
この印刷コマンドは、印刷装置２における印刷形態を指定する情報を含まず、パラメーターのみで構成される。
【００２６】
そして、本実施形態においては、印刷データ生成部２２は、測定装置１から送られる印刷コマンドに基づいて印刷データを生成する際に、印刷装置２の能力に応じた印刷条件を設定することができるようにしている。
印刷条件は、測定装置１から印刷コマンドとして送られるパラメーターをどのように印刷するかを設定する条件であり、印刷装置２の能力によって異なる条件である。
具体的には、印刷装置２がラベルライターである場合は、印刷能力はあまり高くないので、パラメーターを印刷するための印刷行数、文字の大きさなどを印刷条件として設定しておく。これら印刷条件の設定は、例えば、印刷装置２の操作部２５をユーザーが操作して行う。
また、印刷装置２がインクジェットプリンターである場合は、印刷能力が高い。そのため、このような印刷装置２を用いる場合には、パラメーターを印刷する配置、フォント、表印刷の形式、グラフ印刷の形式などを印刷条件として設定しておく。
そして、印刷データ生成部２２は、印刷コマンドに基づいてあらかじめ設定された印刷条件に従って印刷形態を整えた印刷データを生成する。ここで、印刷形態とは、印刷条件に基づいて、パラメーターを所定の印刷位置などに配置して実際に記録媒体に印刷する形態である。
【００２７】
また、記憶部２４は、測定装置１から送られる印刷コマンドに含まれるパラメーターを記憶する。測定装置１による測定が異なる日時に行われた場合、これら各日時の測定による印刷コマンドのパラメーターを記憶することにより、測定装置１による測定結果が経時的に記憶される。
このとき、複数の測定装置１が１つの印刷装置２を共有する場合、パラメーターに含まれる測定装置１のＩＤ情報を参照することで、測定装置１ごとの測定結果を管理することが可能である。また、１つの測定装置１を複数のユーザーが共有する場合には、ユーザーごとにＩＤ情報を設定することで、ユーザーごとの測定結果を管理することが可能である。
【００２８】
このような測定結果の経時的変化を印刷する場合は、印刷データ生成部２２は、測定装置１から送られる印刷コマンドから取得したパラメーターと、この印刷コマンドに含まれない記憶部２４に記憶されているパラメーターとをそれぞれ取得する。そして、印刷データ生成部２２は、各パラメーターに基づいて、経時的な測定結果を印刷条件に従って印刷形態を整えた印刷データとして生成する。
この場合の印刷形態としては、例えば、異なる日時の測定結果を印刷条件に従った表形式やグラフ形式で整えた印刷形態である。
このように記憶部２４に異なる日時のパラメーターを記憶させることで、所定の日数分、所定の時間帯など経時的なパラメーターを取得することが可能となる。このように取得した異なる日時のパラメーターに基づいて、例えば、１週間分の測定結果を、表形式やグラフ形式で印刷する印刷データを生成することが可能となる。
【００２９】
次に、本発明に係る印刷方法について、図２に示すフローチャートを参照して説明する。
本実施形態においては、ユーザーが測定装置１を装着して（前述したように、測定装置１と測定部１１が別筐体で構成されている場合は、測定部１１を装着すればよい）、操作部１３を操作することにより、操作部１３から測定側制御部１０に操作信号が入力される。測定側制御部１０は、操作部１３から入力される操作信号に基づいて、測定部１１に測定動作を指示する。これにより、測定部１１による身体情報の測定が行われ、身体情報を取得する（ＳＴ１）。
身体情報が取得されたら、印刷コマンド生成部１２は、身体情報の測定結果、測定日時および測定装置１のＩＤ情報に基づくパラメーターを含む印刷コマンドを生成する（ＳＴ２）。
【００３０】
印刷コマンドは、測定側通信部１４および印刷側通信部２０を介して、印刷装置２に送られる（ＳＴ３）。
印刷装置２に印刷コマンドが送られると、印刷側制御部２１の指示により、印刷データ生成部２２は、測定装置１から送られる印刷コマンドに基づいて印刷データを生成する（ＳＴ４）。この場合に、印刷データ生成部２２は、印刷コマンドに基づいて、あらかじめ設定された印刷条件に従って印刷形態を整えた印刷データを生成する。
印刷部２３は、生成された印刷データに基づいて駆動され、所定の記録媒体に印刷を行う（ＳＴ５）。
【００３１】
図３は、測定装置１が血圧計であり印刷装置２がラベルライターである場合における印刷例を示す説明図である。
図３に示す例では、記録媒体３０として接着可能な幅１２ｍｍのテープ状の記録媒体３０を用いた場合の例を示している。
図３に示すように、記録媒体３０には、血圧計のＩＤ、測定年月日、測定時刻、最低血圧および最高血圧が１行に印刷される。
【００３２】
また、図４は測定装置１が血圧計であり印刷装置２がラベルライターである場合における別の印刷例を示す説明図である。
この場合は、記録媒体３０として、接着可能であり、幅寸法が比較的大きいテープ状の記録媒体３０を用いた場合を示している。
この場合は、図４に示すように、記録媒体３０には、血圧計のＩＤ、測定年月日および時刻、最低血圧、最高血圧がそれぞれ４行にわたって印刷される。
なお、図３のように１行で印刷するか、図４のように４行で印刷するかは、印刷装置２であらかじめ設定された印刷条件および印刷形態により決まる。もちろんこれに限定されるものではなく、２行印刷、３行印刷、各行における印刷フォントの設定など、任意に設定することができる。
【００３３】
また、図５は測定装置１が体重計であり印刷装置２がラベルライターである場合における印刷例を示す説明図である。
この場合は、図３と同様に、記録媒体３０として接着可能な幅１２ｍｍのテープ状の記録媒体３０を用いた場合の例を示している。
図５に示すように、記録媒体３０には、測定年月日、測定時刻、体重が１行に印刷される。
【００３４】
また、図６は測定装置１が脈拍計を備えた血圧計であり印刷装置２がラベルライターである場合における印刷例を示す説明図である。
この場合は、図３と同様に、記録媒体３０として接着可能な幅１２ｍｍのテープ状の記録媒体３０を用いた場合の例を示している。
図６に示すように、記録媒体３０には、測定年月日、測定時刻の範囲、最低血圧、最高血圧、平均脈拍が１行に印刷される。
【００３５】
さらに、図７は測定装置１が活動量計であり印刷装置２がラベルライターである場合における印刷例を示す説明図である。
この場合は、図３と同様に、記録媒体３０として接着可能な幅１２ｍｍのテープ状の記録媒体３０を用いた場合の例を示している。
図７に示すように、記録媒体３０には、測定年月日、測定時刻の範囲、走行距離、平均時速が１行に印刷される。
なお、図５から図７の例では、測定装置１のＩＤを印刷しない例を示しているが、測定装置１のＩＤを印刷してもよいことはもちろんである。
【００３６】
このように印刷装置２としてラベルライターを用いる場合には、ラベルライターが電池やバッテリで駆動され、小型軽量で持ち運びにも便利であるため、例えば、寝室、洗面所、居間など、測定装置１と一緒に置いておいても邪魔にならず、使い勝手がよい。
また、記録媒体３０をカートリッジで供給するラベルライターであれば、カートリッジを用意するだけで、例えば、インクジェットプリンターのように用紙などの記録媒体３０とインクの両方の残量を気にしなくて済み、管理もしやすい長所がある。
【００３７】
また、印刷装置２としてラベルライターを用いた場合、測定装置１により測定した時の測定結果しか印刷することができない。しかしながら、記録媒体３０として接着可能なテープ状の記録媒体３０を用いることで、印刷後すぐにノートや専用用紙に張り付けて管理することにより経時的変化の把握も簡単である。
また、印刷後自動切断されたテープ状の記録媒体３０には、測定日時が印刷されているので、印刷された記録媒体３０を何日分かまとめて保存しておき、後日、ノートや専用用紙に張り付けて経時変化を確認することも容易である。
【００３８】
また、図８は測定装置１が血圧計であり印刷装置２がインクジェットプリンターである場合における印刷例を示す説明図である。
この場合は、記録媒体３０として、例えば、Ａ４サイズの単票用紙を用い、この記録媒体３０に１週間分の測定結果を印刷した場合の例を示している。
この場合は、印刷装置２の記憶部２４により、測定装置１から送られる印刷コマンドに含まれるパラメーターを異なる測定日時ごとに記憶させる。そして、印刷データ生成部２２により、測定装置１から送られる印刷コマンドから取得したパラメーターと、この印刷コマンドに含まれない異なる日時に取得して記憶部２４に記憶されているパラメーターとをそれぞれ取得する。
【００３９】
具体的には、図８の例の場合、印刷時に測定装置１から送られる印刷コマンドには、ＩＤ情報として「血圧計ＡＢＣ」、測定日時として「２０１５年７月７日  ８：１０」、測定結果として「最低血圧８０、最高血圧１１６」のみが含まれている。
そのため、印刷データ生成部２２は、記憶部２４に記憶されている２０１５年７月１日から７月６日までの測定日時のパラメーターを取得する。これにより、印刷時に取得した２０１５年７月７日のパラメーターと、記憶部２４に記憶されている２０１５年７月１日から７月６日までの測定日時のパラメーターとを取得することができる。そして、印刷データ生成部２２は、各パラメーターに基づいて、経時的な測定結果を印刷条件に従って印刷形態を整えた印刷データとして生成する。
そして、印刷条件および印刷形態として、１週間分の測定結果を表形式、および線グラフ形式で印刷する形態を設定してある。
【００４０】
このような印刷データに基づいて印刷を行うことにより、図８に示すように、記録媒体３０の上方に、表形式で印刷された１週間分の測定結果および、記録媒体３０の中央部分に、グラフ形式で印刷された１週間分の測定結果がそれぞれ印刷される。これにより、測定結果の経時的な変化を１枚の記録媒体３０に印刷することができる。
【００４１】
なお、図８の例では、記録媒体３０の下方にアドバイス欄３１が設けられている。アドバイスは、測定装置１の種類、測定装置１による測定結果に応じて、あらかじめ記憶部２４に記憶されている。そして、印刷データ生成部２２により、過去の測定結果を含めて評価をし、あらかじめ記憶されているアドバイスを１つまたは複数組み合わせたアドバイスを特定し、印刷データに含ませることで、アドバイスを記録媒体３０に印刷することが可能となる。
このように、記録媒体３０が大型の用紙の場合には、印刷コマンドに含まれるパラメーター以外の、測定結果の経時的変化やアドバイスなどを印刷することが可能となる。
また、過去の測定結果をいくつ取得するか、すなわち、１週間分取得するか、１ヶ月分取得するか、あるいはアドバイスを印刷するか否かといった指示は、ユーザーが測定装置１の操作部１３または、印刷装置２の操作部２５を操作して行う。この場合、測定装置１の操作部１３で指示した場合には、測定装置１は、別のコマンドで印刷装置２に送り、印刷装置２側でコマンドに従った処理を行うようにすればよい。
【００４２】
なお、印刷装置２がラベルライターの場合、前述の別のコマンドは無視してもかまわないし、ラベルライターが対応可能であれば、前述したように、異なる測定日時ごとの測定結果を別の記録媒体３０に印刷してもかまわない。さらに、図４に示すような記録媒体３０に複数行の印刷を行うことができる場合には、１つの記録媒体３０に異なる測定日時の測定結果を印刷するようにしてもよい。
また、図８においては、測定装置１のＩＤ情報に基づいて、「測定器：血圧計ＡＢＣ」と印刷するようにしているが、ユーザーの氏名やユーザーコードなどに基づいて、「ユーザー：ＸＹＺ」と印刷するようにしてもよい。
【００４３】
また、前記実施形態においては、測定日時が異なる測定結果のパラメーターを記憶部２４に記憶させ、この記憶部２４から異なる測定日時のパラメーターを取得するようにしているが、これに限定されない。
例えば、インターネット上にサーバーを設置し、サーバーと通信可能な通信部を設けておく。そして、サーバーに測定日時が異なる測定結果のパラメーターを逐次記憶させておき、印刷する際に、通信部を介してサーバーから異なる測定日時のパラメーターを取得して印刷するようにしてもよい。この場合に、サーバーに対して通信部を介してパラメーターを記憶させるのは、印刷装置２が行うようにしてもよいし、測定装置１が行うようにしてもよい。
【００４４】
以上説明したように、本実施形態に係るプリンターは、身体情報を測定する測定部１１と、身体情報を印刷装置２に印刷させるためのパラメーターを含む印刷コマンドを生成する印刷コマンド生成部１２と、印刷コマンドを印刷装置２に対し出力する測定側通信部１４（出力部）と、を備える測定装置１と、印刷コマンドを受信する印刷側通信部２０（受信部）と、受信した印刷コマンドと設定された印刷条件とに基づいて印刷データを生成する印刷データ生成部２２と、生成した印刷データを印刷する印刷部２３と、を備える印刷装置２と、を備えている。
これによれば、測定装置１から送られる印刷コマンドに基づいて印刷装置２が印刷データを生成することで、測定装置１の種類にかかわらず、汎用の印刷装置２による測定結果の印刷を行うことができる。また、測定装置１に、印刷装置２に対応したドライバーなどをインストールする必要がないので、ハードウェアリソースが貧弱な測定装置１であっても、処理負荷を高めることなく、印刷装置の種類にかかわらず、測定結果の印刷を行うことができる。
【００４５】
また、本実施形態では、印刷コマンド生成部１２が生成する印刷コマンドは、印刷装置２の種類にかかわらず同じコマンドであり、印刷装置２は、同じ印刷コマンドを受信した場合でも、印刷条件に応じて印刷部２３が印刷する印刷内容が異なる。
これによれば、印刷装置の種類にかかわらず、測定装置１から同じ印刷コマンドを送った場合でも、印刷装置２が印刷条件に応じて異なる内容を印刷することができる。
【００４６】
また、本実施形態では、印刷コマンド生成部１２が生成する印刷コマンドは、印刷装置２における印刷形態を指定する情報を含まず、印刷データ生成部２２は、受信した印刷コマンドに含まれるパラメーターに基づいて、設定された印刷条件に従った印刷形態の印刷データを生成する。
これによれば、印刷データ生成部２２により、印刷条件に従った印刷形態の印刷データを生成することで、印刷装置２の印刷形態に応じた印刷を行うことができる。
【００４７】
また、本実施形態では、印刷コマンドのパラメーターは、少なくとも測定装置１による測定日時と測定結果である。
これによれば、パラメーターに基づいて印刷データを生成することで、少なくとも測定日時と測定結果を印刷することができる。
【００４８】
また、本実施形態では、印刷データ生成部２２は、印刷コマンドに含まれないパラメーターを取得し、取得したパラメーターを印刷結果に含む印刷データを生成する。
これによれば、印刷時における印刷コマンドに含まれないパラメーターを取得することで、例えば、測定日時の異なる測定結果の印刷を行うことができる。
【００４９】
また、本実施形態では、印刷装置２は、印刷コマンドに含まれないパラメーターを記憶する記憶部２４を備え、印刷データ生成部２２は、印刷データに含まれないパラメーターを記憶部２４から取得する。
これによれば、印刷時における印刷コマンドに含まれないパラメーターを記憶部２４から取得することで、例えば、測定日時の異なる測定結果の印刷を行うことができる。
【００５０】
また、本実施形態では、印刷装置２は、ネットワークと通信する通信部を備え、印刷データ生成部２２は、印刷コマンドに含まれないパラメーターを通信部を介してネットワーク上のサーバーから取得する。
これによれば、印刷時における印刷コマンドに含まれないパラメーターをネットワーク上のサーバーから取得することで、例えば、測定日時の異なる測定結果の印刷を行うことができる。
【００５１】
なお、上述した実施の形態は、あくまでも本発明の一態様を示すものであり、本発明の範囲内で任意に変形及び応用が可能である。
例えば、前記実施形態では、印刷装置２として、ラベルライターやインクジェットプリンターを用いた場合の例について説明したが、その他、レーザープリンターや感熱プリンターなど様々な種類のプリンターに適用してもよい。
【符号の説明】
【００５２】
１…測定装置、２…印刷装置、１０…測定側制御部、１１…測定部、１２…印刷コマンド生成部、１３…操作部、１４…測定側通信部、２０…印刷側通信部、２１…印刷側制御部、２２…印刷データ生成部、２３…印刷部、２４…記憶部、２５…操作部。
【図１】
2017083929.tif 000003
【図２】
2017083929.tif 000004
【図３】
2017083929.tif 000005
【図４】
2017083929.tif 000006
【図５】
2017083929.tif 000007
【図６】
2017083929.tif 000008
【図７】
2017083929.tif 000009
【図８】
2017083929.tif 000010